(57)【要約】  本発明の一実施形態による分解用ツールは、回転可能に設けられ、ナットが結合される第１回転部材と、第１回転部材に結合される連結軸と、連結軸に結合されて連結軸に回転力を伝達する第２回転部材と、連結軸が内部に配置され、地面に平行な仮想の水平線に対して傾斜が付けられたハウジングとを含む。
2020520817.tif 000002
【特許請求の範囲】
【請求項１】
回転可能に設けられ、ナットが結合される第１回転部材と、
前記第１回転部材に結合される連結軸と、
前記連結軸に結合されて前記連結軸に回転力を伝達する第２回転部材と、
前記連結軸が内部に配置され、地面に平行な仮想の水平線に対して傾斜が付けられたハウジングと、
を含む分解用ツール。
【請求項２】
前記第１回転部材と前記連結軸とは第１ユニバーサルジョイントによって連結され、前記第２回転部材と前記連結軸とは第２ユニバーサルジョイントによって連結されることを特徴とする請求項１に記載の分解用ツール。
【請求項３】
前記第１回転部材と前記第２回転部材とは、並んで形成されていることを特徴とする請求項１又は２に記載の分解用ツール。
【請求項４】
前記ハウジングの外面には、対象物の結合突起に結合可能な結合溝が形成されていることを特徴とする請求項１から３のいずれか一項に記載の分解用ツール。
【請求項５】
前記結合溝は、前記ハウジングの傾斜に並んで長手方向に形成されていることを特徴とする請求項４に記載の分解用ツール。
【請求項６】
電極リードが備えられるバッテリーセルが複数設けられ、複数のバッテリーセルが互いに積層されるバッテリーセル積層体と、
前記バッテリーセル積層体が収納され、前記バッテリーセル積層体が複数のボルトとナットによって結合されるように設けられたケースと、
前記複数のボルトとナットのうち一部のみが外部に露出するように、前記バッテリーセル積層体の上側から固定結合されるＩＣＢカバーと、
を含むバッテリーモジュールであって、
前記バッテリーモジュールは、請求項１から５のいずれか一項に記載の分解用ツールを用いて、前記複数のボルトとナットのうち、前記ＩＣＢカバーによって隠されたナットをボルトから分解可能であることを特徴とする、分解用ツールを用いるバッテリーモジュール。
【請求項７】
前記分解用ツールの前記ハウジングの外面には結合溝が形成され、
前記ケースの少なくとも一側には前記分解用ツールの前記結合溝に結合される結合突起が形成されていることを特徴とする、請求項６に記載の分解用ツールを用いるバッテリーモジュール。
【請求項８】
前記ケースには、前記分解用ツールの結合溝が前記結合突起に結合されるように、前記分解用ツールの移動をガイドするガイド突起が形成されていることを特徴とする、請求項７に記載の分解用ツールを用いるバッテリーモジュール。
【請求項９】
前記ガイド突起は、
前記分解用ツールの前記ハウジングの傾斜と同じ傾斜を有する第１リブと、
前記第１リブから延びて、前記第１リブと異なる角度の傾斜を有する第２リブと、
を有することを特徴とする、請求項８に記載の分解用ツールを用いるバッテリーモジュール。
【請求項１０】
前記ケースの底部に対して鋭角の範囲内で、前記第２リブの傾斜角度が前記第１リブの傾斜角度よりも大きいことを特徴とする、請求項９に記載の分解用ツールを用いるバッテリーモジュール。
【請求項１１】
請求項６から１０のいずれか一項に記載の分解用ツールを用いるバッテリーモジュールを含む、バッテリーパック。
【発明の詳細な説明】
【技術分野】
【０００１】
本発明は、分解用ツール及び分解用ツールを用いるバッテリーモジュールに関し、より詳しくは、隠されたボルトから隠されたナットを分解して対象物を分離可能な分解用ツール及び分解用ツールを用いるバッテリーモジュールに関する。
本出願は、２０１７年１２月１５日出願の韓国特許出願第１０−２０１７−０１７３５２０号に基づく優先権を主張し、該当出願の明細書及び図面に開示された内容は、すべて本出願に組み込まれる。
【背景技術】
【０００２】
モバイル機器に対する技術開発及び需要の増加とともに、エネルギー源としての二次電池の需要が急増している。二次電池としては、従来、ニッケルカドミウム電池または水素イオン電池が使用されたが、近年、ニッケル系列の二次電池に比べてメモリ効果が殆ど起きず充電及び放電が自在であって、自己放電率が低くてエネルギー密度が高いリチウム二次電池が広く使用されている。
【０００３】
このようなリチウム二次電池は、主にリチウム系酸化物及び炭素材をそれぞれ正極活物質及び負極活物質として使用する。リチウム二次電池は、このような正極活物質及び負極活物質がそれぞれ塗布された正極板及び負極板がセパレータを介在して配置された電極組立体、そして電極組立体を電解液とともに密封収納する外装材、すなわち電池ケースを備える。
【０００４】
リチウム二次電池は、正極、負極及びこれらの間に介在されるセパレータ及び電解質からなり、正極活物質及び負極活物質の種類によってリチウムイオン電池（ＬＩＢ）、リチウムポリマー電池（ＰＬＩＢ）などに分けられる。このようなリチウム二次電池の電極は、通常、アルミニウムまたは銅のシート、メッシュ、フィルム、ホイルなどの集電体に正極または負極の活物質を塗布し乾燥することで形成される。
【０００５】
バッテリーモジュールは、高いエネルギーを有するバッテリーセルを含んでいる。バッテリーモジュールは、絶縁処理または保護回路の作動などによって安全上の問題はないが、バッテリーモジュールを分解すれば、バッテリーモジュール内部の各種の導体部材によって短絡が生じ得、バッテリーモジュールの火災にも繋がり得る。
【０００６】
このような問題を解決するため、バッテリーモジュール内部のバッテリーセルを固定する複数のボルトとナットのうち一部のボルトとナットのみが外部に露出し、残りのボルトとナットは隠された形態で構成される。このようなバッテリーモジュールの場合、一般的な分解用ツールでは隠されたナットをボルトから分解できないため、不特定者によるバッテリーモジュールの分解を防止することができる。
【０００７】
しかし、バッテリーモジュールを管理する管理者は必要なときにバッテリーモジュールを分解しなければならないが、上述したように複数のボルトとナットのうち一部が隠されていてバッテリーモジュールからバッテリーセルを分解できず、バッテリーモジュールの管理が不可能であるという問題がある。
【発明の概要】
【発明が解決しようとする課題】
【０００８】
本発明は、複数のボルトとナットのうち一部のボルトとナットが外部に露出しないように構成されて、管理者以外の不特定者による分解を防止できるバッテリーモジュールを提供することを目的とする。
【０００９】
また、本発明は、複数のボルトとナットのうち隠されたナットに結合されたボルトからナットを分解できる分解用ツールを提供することを他の目的とする。
【００１０】
また、本発明は、前記分解用ツールを用いて隠されたボルトから隠されたナットを分解し、バッテリーセルをケースから容易に分離できる分解用ツールを用いるバッテリーモジュールを提供することを他の目的とする。
【課題を解決するための手段】
【００１１】
本発明の一態様によれば、回転可能に設けられ、ナットが結合される第１回転部材と、前記第１回転部材に結合される連結軸と、前記連結軸に結合されて前記連結軸に回転力を伝達する第２回転部材と、前記連結軸が内部に配置され、地面に平行な仮想の水平線に対して傾斜が付けられたハウジングとを含む分解用ツールが提供される。
【００１２】
また、前記第１回転部材と前記連結軸とは第１ユニバーサルジョイントによって連結され、前記第２回転部材と前記連結軸とは第２ユニバーサルジョイントによって連結され得る。
【００１３】
そして、前記第１回転部材と前記第２回転部材とは、並んで形成され得る。
【００１４】
また、前記ハウジングの外面には、対象物の結合突起に結合可能な結合溝が形成され得る。
【００１５】
そして、前記結合溝は、前記ハウジングの傾斜に並んで長手方向に形成され得る。
【００１６】
一方、本発明の他の一態様によれば、電極リードが備えられるバッテリーセルが複数設けられ、複数のバッテリーセルが互いに積層されるバッテリーセル積層体と、前記バッテリーセル積層体が収納され、前記バッテリーセル積層体が複数のボルトとナットによって結合されるように設けられたケースと、前記複数のボルトとナットのうち一部のみが外部に露出するように、前記バッテリーセル積層体の上側から固定結合されるＩＣＢ（interconnect board）カバーとを含むバッテリーモジュールであって、前記バッテリーモジュールは、上述した分解用ツールを用いて、前記複数のボルトとナットのうち、前記ＩＣＢカバーによって隠されたナットをボルトから分解可能であることを特徴とする、分解用ツールを用いるバッテリーモジュールが提供される。
【００１７】
また、前記分解用ツールの前記ハウジングの外面には結合溝が形成され、前記ケースの少なくとも一側には前記分解用ツールの前記結合溝に結合される結合突起が形成され得る。
【００１８】
そして、前記ケースには、前記分解用ツールの結合溝が前記結合突起に容易に結合されるように、前記分解用ツールの移動をガイドするガイド突起が形成され得る。
【００１９】
また、前記ガイド突起は、前記分解用ツールの前記ハウジングの傾斜と同じ傾斜を有する第１リブと、前記第１リブから延びて、前記第１リブと異なる角度の傾斜を有する第２リブとを有し得る。
【００２０】
そして、前記ケースの底部に対して鋭角の範囲内で、前記第２リブの傾斜角度が前記第１リブの傾斜角度よりも大きく設けられ得る。
【００２１】
一方、本発明のさらに他の一態様によれば、上述したバッテリーモジュールを含むバッテリーパックが提供される。
【発明の効果】
【００２２】
本発明の一態様によれば、バッテリーセル積層体の上側から固定結合されるＩＣＢカバーによって、複数のボルトとナットのうちの一部のボルトとナットが外部に露出しないように構成されることで、管理者以外の不特定者によるバッテリーモジュールの分解を防止することができる。
【００２３】
また、分解用ツールが複数のボルトとナットのうちの隠されたナットに結合されることで、ボルトからナットを分解することができる。
【００２４】
また、前記分解用ツールを用いて隠されたボルトから隠されたナットを分解して、バッテリーモジュールに収納されたバッテリーセルをケースから容易に分離することができる。
【図面の簡単な説明】
【００２５】
【図１】本発明の一実施形態による分解用ツールの概略的な正面図である。
【図２】図１の断面図である。
【図３】本発明の一実施形態による分解用ツールを用いるバッテリーモジュールの分解斜視図である。
【図４】図３に示されたＩＣＢカバーがバッテリーセルに結合された様子を示した平面図である。
【図５】本発明の一実施形態による分解用ツールを用いるバッテリーモジュールにおいて、分解用ツールが隠されたナットに結合された状態のケースの切開斜視図である。
【図６】図５のＡ−Ａ’線に沿った断面図である。
【発明を実施するための形態】
【００２６】
以下、添付された図面を参照して本発明の望ましい実施形態を詳しく説明する。本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施形態及び図面に示された構成は、本発明のもっとも望ましい一実施形態に過ぎず、本発明の技術的な思想のすべてを代弁するものではないため、本出願の時点においてこれらに代替できる多様な均等物及び変形例があり得ることを理解せねばならない。
【００２７】
図面において、各構成要素またはその構成要素を成す特定部分の大きさは、説明の便宜上及び明確性のため、誇張、省略または概略して示された。したがって、各構成要素の大きさは実際の大きさを専ら反映するものではない。また、関連する公知機能又は構成についての具体的な説明が本発明の要旨を不明瞭にし得ると判断される場合、その説明は省略する。
【００２８】
さらに、本明細書で使われる「結合」または「連結」との用語は、一つの部材と他の部材との直接結合または直接連結だけでなく、継ぎ部材を介在した一つの部材と他の部材との間接結合または間接連結も含む。
【００２９】
図１は本発明の一実施形態による分解用ツールの概略的な正面図であり、図２は図１の断面図である。
【００３０】
図１及び図２を参照すると、本発明の一実施形態による分解用ツール１０は、第１回転部材２０、連結軸３０、第２回転部材４０、及びハウジング５０を含む。
【００３１】
第１回転部材２０は、回転可能に設けられ、第１回転部材２０にナットが結合される。すなわち、第１回転部材２０は、第１回転部材２０に結合された連結軸３０を通じて回転力が伝達されると、連結軸３０と共に回転して、端部に結合されたナットを回転させてボルトからナットを分離するか、または、ボルトにナットを締結する。第１回転部材２０は、ナットに結合できるように、ナットの形状に対応する形状で形成される。第１回転部材２０は、少なくとも一部分に磁石を含むことができる。すなわち、ナットの分解が完了すれば、ナットが磁石から形成された第１回転部材２０に付着して外部に取り出される。また、ナットを締結する場合も、磁石によってナットを第１回転部材２０に付着させた後、ボルトに接触させてボルトに締結することができる。
【００３２】
連結軸３０は、一側が第１回転部材２０に結合され、他側が第２回転部材４０に結合される。第２回転部材４０から連結軸３０に回転力が伝達されて連結軸３０が回転し、連結軸３０の回転によって連結軸３０に結合された第１回転部材２０も回転する。連結軸３０はハウジング５０の内部に配置される。
【００３３】
第２回転部材４０は、連結軸３０に結合されて、連結軸３０に回転力を伝達する。第２回転部材４０は、回転力を提供可能な多様な装置などに結合される。例えば、各種のモーターが備えられた回転動力源に結合されて、回転動力源から提供される回転力によって第２回転部材４０は回転することができる。または、作業者が第２回転部材４０にレンチのような多様な工具を結合して手動で回転させることもできる。図１及び図２を参照すると、第２回転部材４０は第１回転部材２０と並んで、例えば第１回転部材２０と平行に形成され得る。
【００３４】
ハウジング５０は、図２を参照すると、連結軸３０が内部に配置される。そして、第１回転部材２０はハウジング５０の一側端部を通じて少なくとも一部がハウジング５０の外側に露出し、第２回転部材４０はハウジング５０の他側端部を通じて少なくとも一部がハウジング５０の外側に露出する。ハウジング５０は、地面に平行な仮想の水平線に対して傾斜が付けられる。ここで、地面とは、実際の地面だけでなく、底部を全て含む概念であって、ハウジング５０は、分解対象物に該当する各種の装置またはシステムの底部に平行な仮想の水平線に対して傾斜が付けられ得る。このように、ハウジング５０に傾斜が付けられることにより、ナットがカバーなどによって隠された場合であってもナットに接近してナットを分解または締結することができる。これについては、本発明の一実施形態による分解用ツールを用いるバッテリーモジュール１００において詳しく説明する。
【００３５】
ハウジング５０の外面には、図１を参照すると、対象物の結合突起に結合可能な結合溝５１が形成される。ハウジング５０の結合溝５１が対象物の結合突起に結合されることで、第１回転部材２０がナットに正確に結合できる。もし、ハウジング５０に結合溝５１が形成されていない分解用ツール１０を使用する場合は、ハウジング５０の外面と対象物の結合突起とが互いに干渉して第１回転部材２０がナットに結合できないため、ナットを分解または締結することができない。すなわち、対象物に結合突起が形成された場合であれば、ハウジング５０に結合溝５１が形成された場合のみ、第１回転部材２０をナットに正確に結合することができる。ここで、結合溝５１はハウジング５０の傾斜に並んで、例えばハウジング５０の傾斜と平行に長手方向に形成され得る。
【００３６】
ユニバーサルジョイントは、第１ユニバーサルジョイント６０及び第２ユニバーサルジョイント７０を含み、図２を参照すると、第１ユニバーサルジョイント６０は第１回転部材２０と連結軸３０とを連結し、第２ユニバーサルジョイント７０は第２回転部材４０と連結軸３０とを連結する。上述したように、ハウジング５０に傾斜が付けられた場合であっても、第１ユニバーサルジョイント６０及び第２ユニバーサルジョイント７０を通じて、それぞれ、第１回転部材２０と連結軸３０との連結、及び、第２回転部材４０と連結軸３０との連結が可能であり、また、第２回転部材４０から連結軸３０を通じて第１回転部材２０に回転力を伝達できるようになる。
【００３７】
以下、図面を参照して本発明の一実施形態による分解用ツール１０の作用及び効果について説明する。
【００３８】
図１及び図２を参照すると、連結軸３０は地面に平行な仮想の垂直線に対して傾斜が付けられたハウジング５０の内部に配置され、連結軸３０の両側端部に第１回転部材２０と第２回転部材４０がそれぞれ連結される。ここで、第１回転部材２０と連結軸３０とは第１ユニバーサルジョイント６０によって連結され、第２回転部材４０と連結軸３０とは第２ユニバーサルジョイント７０によって連結される。このように、第１回転部材２０と連結軸３０と第２回転部材４０とがユニバーサルジョイント６０、７０によって連結されることで、連結軸３０が配置されたハウジング５０に傾斜が付けられても、回転力を第２回転部材４０から連結軸３０を通じて第１回転部材２０に伝達することができる。そして、第１回転部材２０にはナットが結合されるため、第１回転部材２０が回転することにより、第１回転部材２０に結合されたナットをボルトから分解するか、または、ナットをボルトに締結することができる。
【００３９】
一方、ハウジング５０の外面には結合溝５１が形成され、ナットの分解または締結対象である対象物には結合突起が形成される。この場合、ハウジング５０の外面に形成された結合溝５１が対象物の結合突起に結合することで、ナットの正確な位置で第１回転部材２０をナットに結合することができる。すなわち、対象物に結合突起が形成された場合であれば、結合溝５１が形成されていないハウジング５０が備えられた分解用ツール１０ではナットを分解または締結できないため、不特定者が対象物を分解することを防止することができる。
【００４０】
図３は本発明の一実施形態による分解用ツールを用いるバッテリーモジュールの分解斜視図であり、図４は図３に示されたＩＣＢカバーがバッテリーセルに結合された様子を示した平面図であり、図５は本発明の一実施形態による分解用ツールを用いるバッテリーモジュールで分解用ツールが隠されたナットに結合された状態のケースの切開斜視図であり、図６は図５のＡ−Ａ’線に沿った断面図である。
【００４１】
以下、図面を参照して本発明の一実施形態による分解用ツールを用いるバッテリーモジュール１００の作用及び効果について説明する。ただし、本発明の一実施形態による分解用ツール１０で説明した内容と共通する部分は上述した説明で代替することにする。
【００４２】
上述した分解用ツール１０によってナットの分解または締結が必要な対象物は多様であるが、例えば、バッテリーモジュール１００であり得る。以下、上述した分解用ツール１０を用いてナットの分解または締結が可能なバッテリーモジュール１００について説明する。
【００４３】
本発明の一実施形態による分解用ツールを用いるバッテリーモジュール１００は、バッテリーセル積層体２００、ケース３００、及びＩＣＢカバー４００を含む。
【００４４】
バッテリーセル積層体２００には、電極リード２１０が備えられるバッテリーセルが複数個設けられる。バッテリーセルに備えられる電極リード２１０は、外部に露出して外部機器に連結される一種の端子であって、伝導性材質が使用され得る。電極リード２１０は、正極電極リード及び負極電極リードを含む。正極電極リードと負極電極リードとは、バッテリーセルの長手方向で互いに逆方向に配置されても良く、同じ方向に位置しても良い。バッテリーセルは、正極板−セパレータ−負極板の順に配列される単位セル（unit cell）または正極板−セパレータ−負極板−セパレータ−正極板−セパレータ−負極板の順に配列されたバイセル（bi-cell）を、電池容量に合わせて複数個積層した構造を有し得る。
【００４５】
バッテリーセル積層体２００は、複数のバッテリーセルを互いに積層して構成される。ここで、バッテリーセルは多様な構造を有し得、また、複数のバッテリーセルは多様な方式で積層され得る。
【００４６】
バッテリーセル積層体２００には、それぞれのバッテリーセルを収納するカートリッジ（図示せず）が複数個備えられ得る。それぞれのカートリッジ（図示せず）は、プラスチックの射出成形で製造され、バッテリーセルを収納可能な収納部が形成された複数のカートリッジ（図示せず）が積層され得る。複数のカートリッジ（図示せず）が積層されたカートリッジ組立体には、コネクタ要素または端子要素が備えられる。コネクタ要素は、例えば、バッテリーセルの電圧または温度に関するデータを提供可能なＢＭＳ（Battery Management System、図示せず）などとの連結のための多様な形態の電気的連結部品又は連結部材が含まれ得る。そして、端子要素は、バッテリーセルに連結されるメイン端子として正極端子及び負極端子を含み、ターミナルボルトが備えられて外部と電気的に連結される。一方、バッテリーセルは多様な形状を有し得る。
【００４７】
ケース３００にはバッテリーセル積層体２００が収納され、図３及び図４を参照すると、バッテリーセル積層体２００が複数のボルト６００とナット５００によってケース３００に結合される。図３を参照すると、例えば４個のナット５００がケース３００の周縁でボルト６００に結合されて、バッテリーセル積層体２００をケース３００に固定させる。
【００４８】
ＩＣＢカバー４００は、バッテリーセル積層体２００を電気的に連結することができる。例えば、ＩＣＢカバー４００にはバスバーが設けられ、電極リード２１０がＩＣＢカバー４００に設けられたバスバーに電気的に連結される。ＩＣＢカバー４００は、複数のボルト６００とナット５００のうち一部のみが外部に露出するようにバッテリーセル積層体２００の上側から固定結合される。すなわち、図４を参照すると、ＩＣＢカバー４００がバッテリーセル積層体２００に結合された後、上側からバッテリーモジュール１００を眺めれば、４個のナット５００のうちの二つのナット５００は露出しているため確認できるが、残り二つのナット５１０はＩＣＢカバー４００に覆われて見えない状態である。このように所定個数のナット５１０がＩＣＢカバー４００によって隠されるようになるため、管理者以外の不特定者によるバッテリーモジュール１００の分解が防止される。しかし、一般的な分解用ツール１０ではＩＣＢカバー４００に隠されたナット５１０を分解できず、管理者もバッテリーモジュール１００を分解できないという問題がある。そこで、上述した分解用ツール１０を使用してＩＣＢカバー４００によって隠されたナット５１０をボルト６００から分解できるため、これについて下記する。
【００４９】
図５及び図６を参照すると、ケース３００には結合突起３１０が形成され、上述したように、分解用ツール１０のハウジング５０の外面に結合溝５１が形成される場合、ハウジング５０に形成された結合溝５１がケース３００の結合突起３１０に結合される。そして、ケース３００には、分解用ツール１０の結合溝５１が結合突起３１０に容易に結合されるように、分解用ツール１０の移動をガイドするガイド突起３２０が形成される。すなわち、ユーザが任意の方向から分解用ツール１０を挿入すれば、ガイド突起３２０によってガイドされるため、分解用ツール１０のハウジング５０がガイド突起３２０に沿って移動しながら、ハウジング５０の結合溝５１がケース３００の結合突起３１０に結合される。そのため、図５及び図６を参照すると、ガイド突起３２０は第１リブ３２１及び第２リブ３２２を備えることができる。
【００５０】
第１リブ３２１は、分解用ツール１０のハウジング５０の傾斜と同じ傾斜を有し得る。すなわち、ハウジング５０が第１リブ３２１に接触すれば、第１リブ３２１に沿って移動しながら、ＩＣＢカバー４００に覆われたナット５１０に安着することができる。そして、第２リブ３２２は、第１リブ３２１から延びて、第１リブ３２１と異なる角度の傾斜を有する。例えば、図５及び図６を参照すると、第２リブ３２２の傾斜角度は、ケース３００の底部に対して鋭角の範囲内で、第１リブ３２１の傾斜角度よりも大きく設けられる。このように、第２リブ３２２の傾斜角度が第１リブ３２１の傾斜角度よりも大きければ、任意の方向から分解用ツール１０が挿入されても、第２リブ３２２にぶつかるか又は干渉を受けることがない。すなわち、分解用ツール１０が任意の方向から挿入されても、第２リブ３２２によって第１リブ３２１にガイドされ、第１リブ３２１によって隠されたナット５１０までガイドされる。そして、分解用ツール１０のハウジング５０がガイド突起３２０に沿って移動しながら、ハウジング５０に形成された結合溝５１がケース３００に形成された結合突起３１０に容易に結合される。
【００５１】
図５及び図６を参照すると、上述した分解用ツール１０の傾斜したハウジング５０によって、第１回転部材２０がＩＣＢカバー４００によって隠されたナット５１０に結合され、そこに、第２回転部材４０から提供される回転力が連結軸３０を通じて第１回転部材２０に伝達されると、第１回転部材２０が回転しながらナット５１０をボルト６００から分解するか、または、ボルト６００に締結することができる。
【００５２】
一方、本実施形態では、分解用ツール１０のハウジング５０に結合溝５１が形成され、バッテリーモジュール１００のケース３００に結合突起３１０が形成された場合を中心に説明したが、分解用ツール１０のハウジング５０に結合突起（図示せず）が形成され、バッテリーモジュール１００のケース３００に結合溝（図示せず）が形成された場合も本実施形態に含まれる。
【００５３】
一方、本発明の一実施形態によるバッテリーパック（図示せず）は、上述したような本発明の一実施形態によるバッテリーモジュール１００を一つ以上含むことができる。また、前記バッテリーパック（図示せず）は、このようなバッテリーモジュール１００の他に、バッテリーモジュール１００を収納するためのパックケース、バッテリーモジュール１００の充放電を制御するための各種の装置、例えばＢＭＳ、電流センサ、ヒューズなどをさらに含み得る。
【００５４】
以上のように、本発明を限定された実施形態と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【産業上の利用可能性】
【００５５】
本発明は、分解用ツール及び分解用ツールを用いるバッテリーモジュールに関し、特に、二次電池関連産業に適用可能である。
【符号の説明】
【００５６】
１０  分解用ツール
２０  第１回転部材
３０  連結軸
４０  第２回転部材
５０  ハウジング
６０  第１ユニバーサルジョイント（ユニバーサルジョイント）
７０  第２ユニバーサルジョイント（ユニバーサルジョイント）
【図１】
2020520817.tif 000003
【図２】
2020520817.tif 000004
【図３】
2020520817.tif 000005
【図４】
2020520817.tif 000006
【図５】
2020520817.tif 000007
【図６】
2020520817.tif 000008
【国際調査報告】
2020520817.tif 000009
2020520817.tif 000010
2020520817.tif 000011
2020520817.tif 000012